(57)【特許請求の範囲】
【請求項１】
手持ち式光学機器用のキャリングケースを備えた携帯ベルトであって、
平坦な第１ベルト部材（２）及び平坦な第２ベルト部材（３）が設けられており、該第１、第２ベルト部材の一端部は互いに重なり合って配され、前記第２ベルト部材（３）が前記第１ベルト部材（２）に対して回転可能であるよう回転可能に互いに連結されていること、
前記第１ベルト部材（２）及び前記第２ベルト部材（３）の自由端部が連結具（５、５’、５’’）を用いて互いに連結可能であり、前記第１ベルト部材（２）の自由端部に向かって開口しているキャリングケース（６）が前記第１ベルト部材（２）において前記第１ベルト部材（２）及び前記第２ベルト部材（３）の回転領域に固定されていること
を特徴とする携帯ベルト。
【請求項２】
前記第２ベルト部材（３）は、前記第１ベルト部材（２）と前記キャリングケース（６）の間において回転可能に挿入されていること
を特徴とする、請求項１に記載の携帯ベルト。
【請求項３】
前記キャリングケース（６）を支持する前記第１ベルト部材（２）の幅は、前記回転領域において前記キャリングケース（６）の幅に合わされており、前記回転領域から前記連結具（５）に向かって先細りしていること
を特徴とする、請求項１に記載の携帯ベルト。
【請求項４】
前記キャリングケース（６）は、カメラ（７）又は双眼鏡のハウジング形状に適合されていること
を特徴とする、請求項１に記載の携帯ベルト。
【請求項５】
前記キャリングケース（６）は、前記第１ベルト部材（２）と平行に配される該キャリングケース（６）の外側面において、該キャリングケース（６）の開口部から始まるスリット形状の切欠き（９）を有すること
を特徴とする、請求項１に記載の携帯ベルト。
【請求項６】
前記スリット形状の切欠き（９）は、カメラの対物レンズ（８）の外径に合わされていること
を特徴とする、請求項５に記載の携帯ベルト。
【請求項７】
前記キャリングケース（６）を支持する前記第１ベルト部材（２）の面上には、付属品用の別の把持具又はポケットが固定されていること
を特徴とする、請求項１に記載の携帯ベルト。
【発明の詳細な説明】
【技術分野】
【０００１】
（関連出願の記載）
本出願は、２０１０年９月７日出願のドイツ特許出願第１０２０１００４４５７５．４号の優先権主張に基づくものであり、同出願の全記載内容は引用をもって本明細書に組み込み記載されているものとする。
【０００２】
本発明は、携帯ベルトに関し、特に請求項１の上位概念部（前置部）に記載した、手持ち式光学機器用のキャリングケースを備えた携帯ベルトに関する。
【背景技術】
【０００３】
本願において手持ち式光学機器とは、特にカメラや双眼鏡等として理解される。これらの光学機器用のキャリングケース（スタンバイケース）は、多岐に亘る構成において、ハンドベルト又はショルダーベルトを備えた個々のケース、又は光学機器を受容するためのホルスターを備えた胴体ベルトとしても知られている。この際、光学機器用の受け器には、該光学機器をその抜け落ちから守るために通常はカバー又は保持バックルが設けられている。従って光学機器の取り出しは、該光学機器の迅速な使用を遅らせる追加的な手操作と常に結び付いている。即ち追加的な手操作を必要としている。
【先行技術文献】
【特許文献】
【０００４】
【特許文献１】DE 81 08 184 U1（ドイツ実用新案登録）
【特許文献２】EP 0 910 966 A2
【特許文献３】M 9508771.0（ドイツ意匠登録）
【発明の概要】
【発明が解決しようとする課題】
【０００５】
従って本発明の基礎をなす課題は、迅速な使用可能性と結び付いた、手持ち式光学機器の快適で且つ確実な携帯を可能にする、キャリングケースを備えた携帯ベルトを提供することである。
【課題を解決するための手段】
【０００６】
本発明の一視点により、手持ち式光学機器用のキャリングケースを備えた携帯ベルトであって、平坦な第１ベルト部材及び平坦な第２ベルト部材が設けられており、該第１、第２ベルト部材の一端部は互いに重なり合って配され、前記第２ベルト部材が前記第１ベルト部材に対して回転可能であるよう回転可能に互いに連結されていること、前記第１ベルト部材及び前記第２ベルト部材の自由端部が連結具を用いて互いに連結可能であり、前記第１ベルト部材の自由端部に向かって開口しているキャリングケースが前記第１ベルト部材において前記第１ベルト部材及び前記第２ベルト部材の回転領域に固定されていることを特徴とする携帯ベルトが提供される。尚、本発明の好ましい展開形態は（後続段落において記載のごとく）下位請求項の特徴から明らかである。
【発明の効果】
【０００７】
上記構成により、迅速な使用可能性と結び付いた、手持ち式光学機器の快適で且つ確実な携帯を可能にする、キャリングケースを備えた携帯ベルトが提供される。
【０００８】
本発明のキャリングケースを備えた携帯ベルトは、以下のように装着（使用）される。即ち、互いに対して旋回可能な両方のベルト部材は、人物（使用者）の胴体において以下の態様で携帯（支持）される。即ち、第１ベルト部材が該人物の胸部を斜めに横切って延びており、第２ベルト部材が回転継ぎ手を介し、次のように配向される、即ち、該第２ベルト部材が該人物の脇の下を通過して背中を通して肩の領域において第１ベルト部材の自由端部と、連結具（留め具）を介して連結されるように配向されるという態様である。（例えばカメラや双眼鏡を入れる）キャリングケースは、胸部にわたり延びている第１ベルト部材における回転継ぎ手の領域において、キャリングケースの開口部が肩の方へ向かっているように固定されている。２つのベルト部材を有する携帯ベルトは人物の一方の肩（例えば右肩）にかかり、この際、キャリングケースは腹部の前で該人物の前記肩とは反対側の腰部（例えば左腰部）の方向に位置している。このことは、良好な携帯快適性と共に、キャリングケース内へ挿入された光学機器の握りやすい配置をもたらしてくれる。光学機器は人物がかがむ動作をする際にも十分にキャリングケースからの抜け落ちに対して守られており、人物は該光学機器を難なくいつでも取り出すことができる。
【０００９】
本発明による携帯ベルトは、両方のベルト部材の回転可能な連結に基づき、右肩から左腰部に向かい又は左肩から右腰部に向かい携帯することができ、それによりキャリングケースの配置を右利きの人のためにも左利きの人のためにも光学機器を握りやすいかたちで装着・配向させることができる。この配置構成は、モチーフの方向付けが通常は人物の胴体から離れて保持されるディスプレイ表示部を介して行われる特に今日では通例のデジタルカメラにおける片手操作に好適である。
【００１０】
携帯ベルトを梱包及び保管するためには、回転可能な連結部を介して、両方のベルト部材を上下に重なるように旋回させることができ、それによりコンパクトな梱包形状が得られる。
【図面の簡単な説明】
【００１１】
【図１】キャリングケースを備えた携帯ベルトを示す斜視図である。
【図２】人物に装着した際の携帯ベルトを示す図である。
【発明を実施するための形態】
【００１２】
以下、本発明の実施形態の概要について説明する。
【００１３】
本発明の有利な一実施形態では、第２ベルト部材が第１ベルト部材とキャリングケースの間に位置して回転可能に挿入されている。この際、キャリングケースは、第２ベルト部材のために該第２ベルト部材の回転領域を制限する側方の挿入ポケットが得られるように第１ベルト部材と結合されている。この際、人物の胴体にぴったりと固定的に位置する第１ベルト部材の連続面は好ましく、それにより可動なベルト部材による押圧箇所（圧力を受けて傷となる箇所）や磨耗箇所（摩擦を受けて傷となる箇所）が排除されている。携帯ベルトの装着時に第２ベルト部材は、既に案内のために脇の下を通過して配向延在されている。しかしこの実施形態では右利きの人及び左利きの人のために別個の携帯ベルトが設けられなくてはならず、上述のコンパクトな梱包形状にセットすることはできない。
【００１４】
第１ベルト部材に固定されたキャリングケースは、形状に関し、各々使用される光学機器に適合させる（マッチングさせる）ことができる。ハウジングに嵌め込まれている対物レンズを備えた高価なカメラをキャリングケースへ挿入するために該キャリングケースには、好ましくは、対物レンズを受容するためのスリット（細長い開口部）形状の切欠きが作り込まれ（具体的には対物レンズの外径が切欠きの幅に合わされている）、それによりカメラハウジングは形状結合式（formschluessig ２つ以上の部材が互いの形状を介して嵌り合う形式の結合）でキャリングケースにより包囲される。キャリングケースの形状は、好ましくは、カメラの挿入のためにカメラの長手方向に対応するように形成される。それによりカメラの抜け落ちに対する安全性は更に増加し、使用者はカメラハウジングに取り付けられたグリップストラップを介して該カメラハウジングを掴むことができる。
【００１５】
キャリングケースを支持するベルト部材の幅は、該キャリングケースの幅に合わされており、台形形状で連結具ないし留め具（クラスプ）に向かって先細りして延びている。比較的幅広のベルト部材は、特には連続的に胴体上に位置する第１ベルト部材を用いた実施形態において、胸部前及び腰部において携帯快適性を向上させる。第１ベルト部材の拡大面（外側面）は、好ましくはバッテリーや記憶（メモリ）媒体やカバーキャップのような付属品のための或いはまた携帯電話やスマートフォンのような追加的な機器のための補助的な把持具又はポケットを装着するためにも利用することができる。
【００１６】
ベルト部材とキャリングケースの材料としては、特に制限はされないが、高級な革使用品も用いることができる。
【００１７】
上記のごとく、本発明において下記の形態が可能である。また本願の特許請求の範囲に付記されている図面参照符号は、専ら本発明の理解の容易化のためのものであり、本発明を後続段落で説明する具体的な実施形態に限定するものではないことを付言する。
（形態１）手持ち式光学機器用のキャリングケースを備えた携帯ベルトであって、平坦な第１ベルト部材及び平坦な第２ベルト部材が設けられており、該第１、第２ベルト部材の一端部は互いに重なり合って配され、前記第２ベルト部材が前記第１ベルト部材に対して回転可能であるよう回転可能に互いに連結されていること、前記第１ベルト部材及び前記第２ベルト部材の自由端部が連結具を用いて互いに連結可能であり、前記第１ベルト部材における前記連結具に向かって開口しているキャリングケースが前記第１ベルト部材において前記第１ベルト部材及び前記第２ベルト部材の回転領域に固定されていること。
（形態２）前記第２ベルト部材は、前記第１ベルト部材と前記キャリングケースの間において回転可能に挿入されていることが好ましい。
（形態３）前記キャリングケースを支持する前記第１ベルト部材の幅は、前記回転領域において前記キャリングケースの幅に合わされており、前記回転領域から前記連結具に向かって先細りしていることが好ましい。
（形態４）前記キャリングケース（の形状）は、カメラ又は双眼鏡のハウジング形状に適合されていることが好ましい。
（形態５）前記キャリングケースは、前記第１ベルト部材と平行に配される該キャリングケースの外側面において、該キャリングケースの開口部から始まるスリット形状の切欠きを有することが好ましい。
（形態６）前記スリット形状の切欠き（の幅）は、カメラの対物レンズの外径に合わされていることが好ましい。
（形態７）前記キャリングケースを支持する前記第１ベルト部材の面上には、付属品用の別の把持具又はポケットが固定されていることが好ましい。
【００１８】
以下、本発明に従うキャリングケースを備えた携帯ベルトに関し、図面に図示された具体的な実施形態（実施例）について説明する。以下の具体的な実施形態は本発明の理解の容易化のためのものであって、本発明の技術的思想を逸脱しない範囲において、当業者により実施可能な付加や置換、開示された各要素の選択ないし選択的組合せ等を排除することを意図するものではない。
【００１９】
図１に図示された携帯ベルト１は、第１ベルト部材２と第２ベルト部材３を有し、これらは一端部において上下に重なり合っており、互いに（相対的に）矢印方向４において回動可能である。第２ベルト部材３は、第１ベルト部材２の下（胴体側）又は第１ベルト部材２の上（胴体の反対側）にも位置することができる。非図示の回転継ぎ手は、第１ベルト部材２と第２ベルト部材３を連結するリベット、又は第１ベルト部材２と第２ベルト部材３へ作り込まれているリング要素とすることができる。第２ベルト部材３が第１ベルト部材２の上に位置する場合には、前記回転継ぎ手はキャリングケース６の裏側と第２ベルト部材３に結合されている。第１ベルト部材２と第２ベルト部材３の各々の自由端部には、長さに関して位置調節可能な、連結具（留め具）５の部材５’、５’’が固定されている。
【００２０】
キャリングケース６は、カメラを取り出し容易なポケット状に構成されており、回転継ぎ手の領域において第１ベルト部材２に固定されている。キャリングケース６と第１ベルト部材２との間に第２ベルト部材３を挿入するために（第１ベルト部材２の）側方に開口挿入ポケットがあいているようにキャリングケース６が第１ベルト部材２に固定されている。キャリングケース６は、連結具５の部材５’に向かって開口している。キャリングケース６の開口部へカメラ７がその長手方向をもって挿入（スライドイン）される。この際、カメラ７の対物レンズ８は、スリット形状の切欠き９内に案内される。カメラ７のハウジングにおいてキャリングケース６から突き出た側面部分１０には、カメラ７をキャリングケース６から引き出し可能とする非図示のハンドストラップ１１を固定することができる。
【００２１】
図２は、携帯ベルト１を人物のシャツの上に位置する携帯位置において示している。カメラ７は側面部分１０においてハンドストラップ１１を備えて図示されており、該ハンドストラップ１１は使用者の右手の方へ傾いている。第１ベルト部材２はキャリングケース６に向かって同様に上り勾配で幅広となっており、それにより使用者の胸郭においてより良い密着性が得られている。
【００２２】
尚、第１ベルト部材２の延長部分（肩のうしろを回って延在）は、図示を省略してあるが、第２ベルト部材３と、連結具５の部材５’’を介して連結可能である。連結具の具体的形態は必要に応じ、種々選択して用いることができる。第１ベルト部材２及び／又は第２ベルト部材３は、長さ調節可能とすることもでき、必要に応じ、連結具（留め具）として長さ調節機能を有するものを用いることができる。
【００２３】
まとめとして、本発明のキャリングケースを備えた携帯ベルトは、第１ベルト部材及び第２ベルト部材を有し、該第１ベルト部材及び第２ベルト部材の各々は、一方の端部において連結具を介して互いに連結可能であり、他方の端部において相対回転可能に互いに連結されており、該第１ベルト部材の該他方の端部においてキャリングケースが固定されていることを特徴とする。
【００２４】
尚、本発明の全開示（特許請求の範囲及び図面を含む）の枠内において、更にその基本的技術思想に基づいて、実施例ないし実施形態の変更、調整が可能である。また、本発明の特許請求の範囲の枠内において種々の開示要素の多様な組み合わせないし選択が可能である。即ち、本発明は、特許請求の範囲及び図面を含む全開示、技術的思想に従って当業者であればなし得るであろう各種変形、修正を含むことは勿論である。
【符号の説明】
【００２５】
１      携帯ベルト
２      第１ベルト部材
３      第２ベルト部材
４      矢印方向（第１ベルト部材と第２ベルト部材の相対回転方向）
５      連結具（留め具、クラスプ）
６      キャリングケース（スタンバイケース）
７      カメラ
８      対物レンズ
９      切欠き
１０    カメラの側面部分
１１    ハンドストラップ
【図１】
0005543947.tif 000002
【図２】
0005543947.tif 000003